(57)【特許請求の範囲】
【請求項１】
第１の映像信号が１ライン期間分ずつ順次書き込まれるとともに、書き込まれた上記第１の映像信号の各ライン期間分が、上記第１の映像信号の１／２ライン期間に相当する時間内に読み出されて形成される第１の１／２ライン期間分の映像信号が順次間欠的に得られるラインメモリ部と、
第２の映像信号が第１の一つ置きのフィールド期間分の各々ずつ順次書き込まれる状態がとられるとともに、書き込まれた上記第２の映像信号の各フィールド期間分を形成する各ライン期間分が、上記第１の映像信号の１／２ライン期間に相当する時間内に間欠的に読み出されて形成される第２の１／２ライン期間分の映像信号が順次間欠的に得られる第１のフィールドメモリ部と、
上記第２の映像信号が第２の一つ置きのフィールド期間分の各々ずつ順次書き込まれるとともに、書き込まれた上記第２の映像信号の各フィールド期間分を形成する各ライン期間分が、上記第１の映像信号の１／２ライン期間に相当する時間内に間欠的に読み出されて形成される第３の１／２ライン期間分の映像信号が順次間欠的に得られる第２のフィールドメモリ部と、
上記ラインメモリ部から得られる第１の１／２ライン期間分の映像信号と上記第１のフィールドメモリ部から得られる第２の１／２ライン期間分の映像信号とを交互に取り出して、１フィールド期間分の映像信号を形成する状態と、上記ラインメモリ部から得られる第１の１／２ライン期間分の映像信号と上記第２のフィールドメモリ部から得られる第３の１／２ライン期間分の映像信号とを交互に取り出して、１フィールド期間分の映像信号を形成する状態とを交互にとる信号選択部と、
該信号選択部から１フィールド期間分ずつ得られる映像信号に応じて、上記第１の映像信号に基づく画像及び第２の映像信号に基づく画像に夫々対応する二画面画像を表示する二画面画像表示部と、
上記第１のフィールドメモリ部及び第２のフィールドメモリ部の夫々における各ライン期間分の映像信号についての追越読出し状態の検出を行う追越状態検出部と、
該追越状態検出部により上記追越読出し状態が検出されたとき、上記第１のフィールドメモリ部及び第２のフィールドメモリ部の夫々における上記第２の映像信号の一つ置きのフィールド期間分の各々についての書込み−読出しタイミングの調整を行って、上記追越読出し状態に伴う上記二画面画像表示部により表示される二画面画像における表示欠陥を抑制する書込み−読出しタイミング制御手段と、
を備えて構成される画像表示装置。
【請求項２】
書込み−読出しタイミング制御手段が、追越状態検出部により追越読出しが行われる状態が検出されたとき行う書込み−読出しタイミングの調整の結果得られる状態を、上記追越状態検出部により追越読出しが行われる状態が検出されなくなるまで維持することを特徴とする請求項１記載の画像表示装置。
【請求項３】
書込み−読出しタイミング制御手段が、追越状態検出部により追越読出しが行われる状態が検出されたとき、第２の映像信号の第１の一つ置きのフィールド期間分の各々が第２のフィールドメモリ部に順次書き込まれるとともに、上記第２の映像信号の第２の一つ置きのフィールド期間分の各々が第１のフィールドメモリ部に順次書き込まれる状態を設定することを特徴とする請求項１または２記載の画像表示装置。
【請求項４】
第１の映像信号に含まれる同期信号を取り出す第１の同期信号分離部と、第２の映像信号に含まれる同期信号を取り出す第２の同期信号分離部と、上記第１の同期信号分離部から得られる同期信号に同期した、ラインメモリ部に対する書込み用及び読出し用タイミング信号，第１のフィールドメモリ部に対する読出し用タイミング信号、及び、第２のフィールドメモリ部に対する読出し用タイミング信号を形成する第１のタイミング信号形成部と、上記第２の同期信号分離部から得られる同期信号に同期した、第１のフィールドメモリ部に対する書込み用タイミング信号、及び、第２のフィールドメモリ部に対する書込み用タイミング信号を形成する第２のタイミング信号形成部とが備えられ、上記第２のタイミング信号形成部が書込み−読出しタイミング制御手段を形成することを特徴とする請求項１または２記載の画像表示装置。
【請求項５】
書込み−読出しタイミング制御手段が、追越状態検出部により追越読出しが行われる状態が検出されたとき、第２の映像信号の第１の一つ置きのフィールド期間分の一つの第１のフィールドメモリ部への書込みが終了した後に、上記第１のフィールドメモリ部から上記第２の映像信号の第１の一つ置きのフィールド期間分の一つを形成する各ライン期間分が読み出されるとともに、第２の映像信号の第２の一つ置きのフィールド期間分の一つの第２のフィールドメモリ部への書込みが終了した後に、上記第２のフィールドメモリ部から上記第２の映像信号の第２の一つ置きのフィールド期間分の一つを形成する各ライン期間分が読み出される状態を設定することを特徴とする請求項１または２記載の画像表示装置。
【請求項６】
画像ミュート信号発生部が備えられ、信号選択部が、ラインメモリ部から得られる第１の１／２ライン期間分の映像信号と第１のフィールドメモリ部から得られる第２の１／２ライン期間分の映像信号との間、もしくは、上記第１のフィールドメモリ部から得られる第２の１／２ライン期間分の映像信号と上記ラインメモリ部から得られる第１の１／２ライン期間分の映像信号との間に、上記画像ミュート信号発生部からの画像ミュート信号を取り出し、上記ラインメモリ部から得られる第１の１／２ライン期間分の映像信号，上記第１のフィールドメモリ部から得られる第２の１／２ライン期間分の映像信号、及び、上記画像ミュート信号を含む１フィールド期間分の映像信号を形成する状態と、上記ラインメモリ部から得られる第１の１／２ライン期間分の映像信号と上記第２のフィールドメモリ部から得られる第３の１／２ライン期間分の映像信号との間、もしくは、上記第２のフィールドメモリ部から得られる第３の１／２ライン期間分の映像信号と上記ラインメモリ部から得られる第１の１／２ライン期間分の映像信号との間に、上記画像ミュート信号発生部からの画像ミュート信号を取り出し、上記ラインメモリ部から得られる第１の１／２ライン期間分の映像信号，上記第２のフィールドメモリ部から得られる第３の１／２ライン期間分の映像信号、及び、上記画像ミュート信号を含む１フィールド期間分の映像信号を形成する状態とを選択的にとることを特徴とする請求項１または２記載の画像表示装置。
【発明の詳細な説明】
【０００１】
【産業上の利用分野】
本発明は、二つの独立した映像信号の夫々があらわす画像を、一つの画像表示部の表示面上に、二画面画像として表示する画像表示装置に関する。
【０００２】
【従来の技術】
独立した二つの映像信号の夫々があらわす画像を、一つの画像表示装置を用いて、その画像表示面上に表示する二画面画像表示システムが、画像情報提供の多様化の一環として提案されている。このような二画面画像表示システムにあっては、例えば、画像表示装置として水平走査（ライン走査）と垂直走査（フィールド走査）とが行われる画像表示面を有したものが使用され、その画像表示面に、二つの映像信号の夫々があらわす画像の画面が、ライン走査方向、即ち、左右方向に相互隣接配置されるものとして形成される。
【０００３】
このように、画像表示装置の画像表示面において左右方向に二画面が相互隣接配置されて成る二画面画像の表示を行うに際して、例えば、二画面の各々のライン走査方向の寸法が実質的に同等であり、従って、画像表示面の左半分において二つの映像信号のうちの一方である第１の映像信号があらわす画像が表示されるとともに、画像表示面の右半分において二つの映像信号のうちの他方である第２の映像信号があらわす画像が表示されるとして、画像表示装置に供給される表示用映像信号は、その各ライン期間分が、第１の映像信号の１ライン期間（１Ｈ）分を略１／２ライン期間（０．５  Ｈ）に時間軸圧縮した時間軸圧縮映像信号と第２の映像信号の１ライン期間分を略１／２ライン期間に時間軸圧縮した時間軸圧縮映像信号とを合成して形成したものとされることが必要とされる。
【０００４】
斯かる二画面画像表示用映像信号を得るには、例えば、映像信号の１ライン期間分の書込み及び読出しが可能とされるラインメモリを用いて、第１の映像信号をその各ライン期間分が略１／２ライン期間に時間軸圧縮されたものとなすことにより第１の時間軸圧縮映像信号を得るとともに、映像信号の１フィールド期間（１Ｖ）分の書込み及び読出しが可能とされるフィールドメモリを２個用いて、第２の映像信号を、その各フィールド期間毎に、各ライン期間分が略１／２ライン期間に時間軸圧縮されたものとなすことにより第２の時間軸圧縮映像信号を得て、第１の時間軸圧縮映像信号と第２の時間軸圧縮映像信号とを合成する手法がとられる。
【０００５】
そして、第１の時間軸圧縮映像信号を得るにあたっては、ラインメモリに第１の映像信号を１ライン期間分ずつ順次書き込むとともに、ラインメモリから、書き込まれた各１ライン期間分の映像信号を、略１／２ライン期間に相当する読出し時間をもって読み出すようにし、その際、読出し時間をその開始時点が、第１の映像信号の１ライン期間分の書込み時間の終了時点と一致するように選定する。即ち、図４（横軸：時間，縦軸：ラインメモリ・アドレス）において破線により示される如くに、第１の映像信号の各ライン期間分が順次ラインメモリに書き込まれるとともに、図４において実線により示される如くにして、書き込まれた各ライン期間分が読み出される。この図４において実線により示される各ライン期間分の読出しは、当該ライン期間分の書き込みが終了した時点で開始され、書込み速度の略２倍の速度をもって行われて、実質的に当該ライン期間分の全体の書き込みが終了した時点より略１／２ライン期間後において終了する。従って、ラインメモリからの各ライン期間分の読出しは、略１／２ライン期間に相当する時間ずつ、略１／２ライン期間に相当する間隔をおいて、間欠的に行われることになる。それにより、ラインメモリから第１の時間軸圧縮映像信号が得られる。
【０００６】
また、第２の時間軸圧縮映像信号を得るにあたっては、２個のフィールドメモリのうちの一方（第１のフィールドメモリ）に、第２の映像信号の奇数フィールド期間分を順次書き込むとともに、２個のフィールドメモリのうちの他方（第２のフィールドメモリ）に、第２の映像信号の偶数フィールド期間分を順次書き込む。そして、第１のフィールドメモリから、それに書き込まれた第２の映像信号の奇数フィールド期間分の各々を形成する各１Ｈ分の映像信号を、略１／２ライン期間に相当する読出し時間をもって読み出すようにする。それにより、第２の映像信号の奇数フィールド期間分についての時間軸圧縮映像信号が、第１のフィールドメモリの読出出力として得られる。
【０００７】
同様に、第２のフィールドメモリから、それに書き込まれた第２の映像信号の偶数フィールド期間分の各々を形成する各１Ｈ分の映像信号を、略１／２ライン期間に相当する読出し時間をもって読み出すようにする。それにより、第２の映像信号の偶数フィールド期間分についての時間軸圧縮映像信号が、第２のフィールドメモリの読出出力として得られる。
【０００８】
そして、第１のフィールドメモリから得られる読出出力と第２のフィールドメモリから得られる読出出力とが合成されて、第２の時間軸圧縮映像信号が形成される。
【０００９】
このようにして、ラインメモリから得られる第１の時間軸圧縮映像信号と第１及び第２のフィールドメモリから得られる第２の時間軸圧縮映像信号とが、例えば、第１の時間軸圧縮映像信号における各１／２ライン期間分に第２の時間軸圧縮映像信号における各１／２ライン期間分が夫々連結されることによって各ライン期間分が形成されるようにして合成される。それにより、各ライン期間分が、その前半が第１の映像信号に基づく第１の時間軸圧縮映像信号とされるとともに、その後半が第２の映像信号に基づく第２の時間軸圧縮映像信号とされて成る、二画面画像表示用映像信号が形成される。
【００１０】
斯かるもとで、第１の映像信号と第２の映像信号とが、互いに独立のものであって相互同期状態にないことから、二画面画像表示用映像信号の形成に際して、第１の時間軸圧縮映像信号と第２の時間軸圧縮映像信号との同期状態が問題となる。そこで、例えば、第１の映像信号についてのラインメモリへの書込みが、第１の映像信号に含まれる同期信号に基づいて形成されるタイミング信号に従って行われるとともに、第２の映像信号についての第１及び第２のフィールドメモリへの夫々への書込みが、第２の映像信号に含まれる同期信号に基づいて形成されるタイミング信号に従って行われ、それに対して、ラインメモリからの第１の映像信号の各ライン期間分についての読出し、及び、第１及び第２のフィールドメモリの夫々からの第２の映像信号の各フィールド期間分についての読出しは、いずれも、第１の映像信号に含まれる同期信号に基づいて形成されるタイミング信号に従って行われるようにされて、ラインメモリから得られる第１の時間軸圧縮映像信号と第１及び第２のフィールドメモリから得られる第２の時間軸圧縮映像信号とが相互同期状態におかれる。
【００１１】
【発明が解決しようとする課題】
上述の如くにして二画面画像表示用映像信号が形成されるにあたっては、第１及び第２のフィールドメモリの夫々において、第２の映像信号の各フィールド期間分毎の書込みは、その第２の映像信号に含まれる同期信号に基づいて形成されるタイミング信号に従って行われるが、書き込まれた各フィールド期間分についての読出しが、ラインメモリへの書込みがなされる第１の映像信号に含まれる同期信号に基づいて形成されるタイミング信号に従って行われる。それにより、第１及び第２のフィールドメモリの夫々において、第１の映像信号と第２の映像信号との同期関係が特定のものとなると、例えば、第２の映像信号の各フィールド期間分を形成する各ライン期間分の書込みが、図５（横軸：時間，縦軸：フィールドメモリ・ライン内アドレス）において破線により示される如くに行われるとともに、それに対する読出しが、図５において実線により示される如くに、書込み開始時点後に開始して書込み終了時点前に終了する状態が生じる虞がある。
【００１２】
即ち、第１及び第２のフィールドメモリの夫々において、第２の映像信号の１ライン期間分の書込みが、図５における時点ｔａから時点ｔｄまで書込時間（１Ｈに相当する）もって行われるもとで、それに対する読出しが、時点ｔａ後の時点ｔｂにおいて開始されて時点ｔｄに先立つ時点ｔｃにおいて終了する読出時間（  ０．５Ｈに相当する）  をもって行われるのである。斯かる場合には、読出しが、その開始から終了に至る途中において、読出しアドレス位置が書込アドレス位置を追い越してしまう状況のもとで行われることになり、所謂、追越読出し状態が生じることになる。
【００１３】
このような追越読出し状態が生じると、図５における時点ｔｂから始まる期間ａの如くの、読出しアドレス位置が書込アドレス位置に追い付くまでの期間においては、読出しの直前に書き込まれた映像信号が読み出されるが、図５における期間ａ後の時点ｔｃまでの期間ｂの如く、読出しアドレス位置が書込アドレス位置を追い越した期間にあっては、読出しの時点より２フィールド期間（１フレーム期間）だけ前に書き込まれた映像信号が読み出されることになる。それにより、第１及び第２のフィールドメモリから得られる第２の時間軸圧縮映像信号の断続的な１／２ライン期間分の各々が、不連続点を含むことになってしまう。
【００１４】
その結果、ラインメモリから得られる第１の時間軸圧縮映像信号と第１及び第２のフィールドメモリから得られる第２の時間軸圧縮映像信号とが合成されて得られる二画面画像表示用映像信号が、画像表示装置に供給されて、その画像表示面に得られる二画面画像に、第２の時間軸圧縮映像信号の断続的な１／２ライン期間分の各々における不連続点に起因する表示欠陥が現れることになってしまう。斯かる二画面画像に現れる表示欠陥は、例えば、図６に示される如くに、二画面画像のうちのラインメモリから得られる第１の時間軸圧縮映像信号に基づく左側画像ＰＬは正常に得られるが、二画面画像のうちの第１及び第２のフィールドメモリから得られる第２の時間軸圧縮映像信号に基づく右側画像ＰＲが、その中に垂直方向の境界Ｘが形成され、その境界Ｘの両側において画像の段違いが生じるものとなる形態をとることになる。
【００１５】
斯かる点に鑑み、本発明は、ラインメモリを用いて、二つの映像信号のうちの一方をその各ライン期間分が略１／２ライン期間に時間軸圧縮されたものとなすことにより第１の時間軸圧縮映像信号を得るとともに、２個のフィールドメモリを用いて、二つの映像信号のうちの他方を、その各フィールド期間毎に、各ライン期間分が略１／２ライン期間に時間軸圧縮されたものとなすことにより第２の時間軸圧縮映像信号を得て、第１の時間軸圧縮映像信号と第２の時間軸圧縮映像信号とを合成することにより二画面画像表示用映像信号を得るにあたり、その二画面画像表示用映像信号を、それが画像表示部に供給されて得られる二画面画像が、２個のフィールドメモリの各々において追越読出し状態が生じた場合にも、その追越読出し状態に起因して現れる表示欠陥が効果的に抑制されることになるようにできる、画像表示装置を提供することを目的とする。
【００１６】
【課題を解決するための手段】
上述の目的を達成すべく、本発明に係る画像表示装置は、第１の映像信号が１ライン期間分ずつ順次書き込まれるとともに、書き込まれた第１の映像信号の各ライン期間分が、第１の映像信号の１／２ライン期間に相当する時間内に読み出されて形成される第１の１／２ライン期間分の映像信号が順次間欠的に得られるラインメモリ部と、第２の映像信号が第１の一つ置きのフィールド期間分の各々ずつ順次書き込まれる状態がとられるとともに、書き込まれた第２の映像信号の各フィールド期間分を形成する各ライン期間分が、第１の映像信号の１／２ライン期間に相当する時間内に間欠的に読み出されて形成される第２の１／２ライン期間分の映像信号が順次間欠的に得られる第１のフィールドメモリ部と、第２の映像信号が第２の一つ置きのフィールド期間分の各々ずつ順次書き込まれるとともに、書き込まれた第２の映像信号の各フィールド期間分を形成する各ライン期間分が、第１の映像信号の１／２ライン期間に相当する時間内に間欠的に読み出されて形成される第３の１／２ライン期間分の映像信号が順次間欠的に得られる第２のフィールドメモリ部と、ラインメモリ部から得られる第１の１／２ライン期間分の映像信号と第１のフィールドメモリ部から得られる第２の１／２ライン期間分の映像信号とを交互に取り出して、１フィールド期間分の映像信号を形成する状態と、ラインメモリ部から得られる第１の１／２ライン期間分の映像信号と第２のフィールドメモリ部から得られる第３の１／２ライン期間分の映像信号とを交互に取り出して、１フィールド期間分の映像信号を形成する状態とを交互にとる信号選択部と、信号選択部から１フィールド期間分ずつ得られる映像信号に応じて、第１の映像信号に基づく画像及び第２の映像信号に基づく画像に夫々対応する二画面画像を表示する二画面画像表示部とが備えられたもとで、第１のフィールドメモリ部及び第２のフィールドメモリ部の夫々における各ライン期間分の映像信号についての追越読出し状態の検出を行う追越状態検出部が設けられるとともに、追越状態検出部により追越読出し状態が検出されたとき、第１のフィールドメモリ部及び第２のフィールドメモリ部の夫々における第２の映像信号のフィールド期間分の各々についての書込み−読出しタイミングの調整を行って、追越読出し状態に伴う二画面画像表示部により表示される二画面画像における表示欠陥を抑制する書込み−読出しタイミング制御手段が設けられて構成される。
【００１７】
【作用】
上述の如くに構成される本発明に係る画像表示装置にあっては、第１及び第２のフィールドメモリ部の夫々において、各ライン期間分の映像信号が書き込まれ、それが直ちに読み出されて第２及び第３の１／２ライン期間分の映像信号が得られるにあたり、読出しアドレスが書込みアドレスを追い越してしまう追越読出し状態が生じると、その追越読出し状態が追越状態検出部によって検出される。そして、追越状態検出部による追越読出し状態の検出がなされると、書込み−読出しタイミング制御手段によって、第１及び第２のフィールドメモリ部の夫々における第２の映像信号のフィールド期間分の各々についての書込み−読出しタイミングの調整が行われる。斯かる書込み−読出しタイミングの調整は、例えば、それまでは、第２の映像信号の第１の一つ置きのフィールド期間分、例えば、奇数フィールド期間分の各々が第１のフィールドメモリ部に順次書き込まれるとともに、第２の映像信号の第２の一つ置きのフィールド期間分、例えば、偶数フィールド期間分の各々が第２のフィールドメモリ部に順次書き込まれる状態を生じさせていた書込み−読出しタイミングを、第２の映像信号の第１の一つ置きのフィールド期間分、例えば、奇数フィールド期間分の各々が第２のフィールドメモリ部に順次書き込まれるとともに、第２の映像信号の第２の一つ置きのフィールド期間分、例えば、偶数フィールド期間分の各々が第１のフィールドメモリ部に順次書き込まれる状態に移行させる書込み−読出しタイミングに変化させることによって行われる。
【００１８】
それにより、書込み−読出しタイミング制御手段による書込み−読出しタイミングの調整が行われた後においては、第１及び第２のフィールドメモリ部の夫々において、１フィールド期間だけ前に書き込まれた各ライン期間分の映像信号が読み出されて第２及び第３の１／２ライン期間分の映像信号が得られる状態に維持される。従って、第１のフィールドメモリ部及び第２のフィールドメモリ部から夫々得られる第２及び第３の１／２ライン期間分の映像信号が、追越読出し状態に伴う不連続点を含まないものとされる。
【００１９】
その結果、信号選択部から得られて二画面画像表示部に供給される映像信号、即ち、二画面画像表示用映像信号が、第１及び第２のフィールドメモリ部における追越読出し状態に起因する不連続点を含まないことになり、それが二画面画像表示部に供給されて得られる二画面画像が、第１及び第２のフィールドメモリ部の夫々において追越読出し状態が生じた場合にも、その追越読出し状態に起因して現れる表示欠陥が効果的に抑制されるものとなる。
【００２０】
【実施例】
図１は、本発明に係る画像表示装置の一例を示す。
【００２１】
図１に示される例においては、映像信号入力端子１１及び１２に、互いに独立した二つの映像信号ＳＶ１及びＳＶ２が夫々供給される。これらの映像信号ＳＶ１及びＳＶ２は、例えば、いずれもがインターレース方式に従って、奇数フィールドと偶数フィールドとにより１フレームを形成するものとされる。
【００２２】
映像信号入力端子１１に供給された映像信号ＳＶ１は、アナログ／ディジタル変換部（Ａ／Ｄ変換部）１３においてディジタル化され、ディジタル映像信号ＤＶ１とされてラインメモリ部１４に供給される。また、映像信号入力端子１２に供給された映像信号ＳＶ２は、Ａ／Ｄ変換部１５においてディジタル化され、ディジタル映像信号ＤＶ２とされて一対のフィールドメモリ部１６及び１７の各々に供給される。
【００２３】
また、映像信号入力端子１１からの映像信号ＳＶ１が、同期信号分離部１８に供給されるとともに、映像信号入力端子１２からの映像信号ＳＶ２が、同期信号分離部１９に供給される。同期信号分離部１８においては、映像信号ＳＶ１からそれに含まれる水平同期信号（ライン同期信号）ＰＨ１及び垂直同期信号（フィールド同期信号）ＰＶ１が分離され、それらがタイミング信号形成部２０に供給される。同様に、同期信号分離部１９においては、映像信号ＳＶ２からそれに含まれる水平同期信号ＰＨ２及び垂直同期信号ＰＶ２が分離され、それらがタイミング信号形成部２１に供給される。
【００２４】
タイミング信号形成部２０にあっては、同期信号分離部１８からの水平同期信号ＰＨ１及び垂直同期信号ＰＶ１に同期するものとされる、ラインメモリ部１４に対する書込み用タイミング信号ＷＬ及び読出し用タイミング信号ＲＬ，フィールドメモリ部１６に対する読出し用タイミング信号ＲＦ１，フィールドメモリ部１７に対する読出し用タイミング信号ＲＦ２、及び、選択制御信号ＳＳが形成される。また、タイミング信号形成部２１にあっては、同期信号分離部１９からの水平同期信号ＰＨ２及び垂直同期信号ＰＶ２に同期するものとされる、フィールドメモリ部１６に対する書込み用タイミング信号ＷＦ１、及び、フィールドメモリ部１７に対する書込み用タイミング信号ＷＦ２が形成される。
【００２５】
Ａ／Ｄ変換部１３からのディジタル映像信号ＤＶ１が供給されるラインメモリ部１４においては、タイミング信号形成部２０からの書込み用タイミング信号ＷＬ及び読出し用タイミング信号ＲＬが供給され、書込み用タイミング信号ＷＬに応じて、ディジタル映像信号ＤＶ１が１ライン期間分ずつ順次書き込まれるとともに、読出し用タイミング信号ＲＬに応じて、書き込まれた各ライン期間分の映像信号が、略１／２ライン期間に相当する読出し時間をもって読み出される。タイミング信号形成部２０からの書込み用タイミング信号ＷＬ及び読出し用タイミング信号ＲＬの夫々は、略１／２ライン期間に相当する読出し時間の開始時点が、その読出し時間において読み出されるディジタル映像信号ＤＶ１の１ライン期間分についての書込み時間の終了時点と一致することになる状態を設定するものとされる。
【００２６】
従って、ラインメモリ部１４におけるディジタル映像信号ＤＶ１についての書込み及び読出しは、前述の図４において破線により示される如くに、ディジタル映像信号ＤＶ１の各ライン期間分が順次書き込まれるとともに、図４において実線により示される如くにして、書き込まれた各ライン期間分が読み出される状態のもとに行われる。即ち、ディジタル映像信号ＤＶ１の各ライン期間分の読出しが、当該ライン期間分の全部が書き込まれた時点で開始され、書込み速度の略２倍の速度をもって行われて、開始後略１／２ライン期間が経過した時点において終了するようにされ、その結果、ラインメモリ部１４からの各ライン期間分の読出しは、略１／２ライン期間に相当する時間ずつ、略１／２ライン期間に相当する間隔をおいて、間欠的に行われることになり、ラインメモリ部１４から、ディジタル映像信号ＤＶ１の各ライン期間分が略１／２ライン期間に相当する時間内のディジタル映像信号に時間軸圧縮されて形成される１／２ライン期間ディジタル映像信号ＤＸ１が、順次間欠的に得られる。
【００２７】
また、Ａ／Ｄ変換部１５からのディジタル映像信号ＤＶ２が供給されるフィールドメモリ部１６には、タイミング信号形成部２１からの書込み用タイミング信号ＷＦ１と、タイミング信号形成部２０からの読出し用タイミング信号ＲＦ１とが供給される。それにより、フィールドメモリ部１６においては、書込み用タイミング信号ＷＦ１に応じて、ディジタル映像信号ＤＶ２における一つ置きのフィールド期間分の各々、例えば、各奇数フィールド期間分が、それを形成する複数のライン期間分の各々ずつ順次書き込まれるとともに、読出し用タイミング信号ＲＦ１に応じて、書き込まれた各奇数フィールド期間分を形成する各ライン期間分が、映像信号ＳＶ１における略１／２ライン期間に相当する読出し時間をもって読み出される。
【００２８】
さらに、Ａ／Ｄ変換部１５からのディジタル映像信号ＤＶ２が供給されるフィールドメモリ部１７には、タイミング信号形成部２１からの書込み用タイミング信号ＷＦ２と、タイミング信号形成部２０からの読出し用タイミング信号ＲＦ２とが供給される。それにより、フィールドメモリ部１７においては、書込み用タイミング信号ＷＦ２に応じて、ディジタル映像信号ＤＶ２における他の一つ置きのフィールド期間分の各々、例えば、各偶数フィールド期間分が、それを形成する複数のライン期間分の各々ずつ順次書き込まれるとともに、読出し用タイミング信号ＲＦ２に応じて、書き込まれた各偶数フィールド期間分を形成する各ライン期間分が、映像信号ＳＶ１における略１／２ライン期間に相当する読出し時間をもって読み出される。
【００２９】
その結果、フィールドメモリ部１６からのディジタル映像信号ＤＶ２における各奇数フィールドを形成する各ライン期間分の読出しが、映像信号ＳＶ１における略１／２ライン期間に相当する時間ずつ、映像信号ＳＶ１における略１／２ライン期間に相当する間隔をおいて、間欠的に行われることになり、フィールドメモリ部１６から、ディジタル映像信号ＤＶ２における各奇数フィールドを形成する各ライン期間分が、映像信号ＳＶ１における略１／２ライン期間に相当する時間内のディジタル映像信号に時間軸圧縮されて形成されることになる１／２ライン期間ディジタル映像信号ＤＸ２が、順次間欠的に得られる。また、フィールドメモリ部１７からのディジタル映像信号ＤＶ２における各偶数フィールドを形成する各ライン期間分の読出しが、映像信号ＳＶ１における略１／２ライン期間に相当する時間ずつ、映像信号ＳＶ１における略１／２ライン期間に相当する間隔をおいて、間欠的に行われることになり、フィールドメモリ部１７から、ディジタル映像信号ＤＶ２における各偶数フィールドを形成する各ライン期間分が、映像信号ＳＶ１における略１／２ライン期間に相当する時間内のディジタル映像信号に時間軸圧縮されて形成されることになる１／２ライン期間ディジタル映像信号ＤＸ３が、順次間欠的に得られる。
【００３０】
ラインメモリ部１４から得られる１／２ライン期間ディジタル映像信号ＤＸ１は、信号選択部２５の選択接点２５Ａに供給され、また、フィールドメモリ部１６から得られる１／２ライン期間ディジタル映像信号ＤＸ２及びフィールドメモリ部１７から得られる１／２ライン期間ディジタル映像信号ＤＸ３は、信号選択部２５の選択接点２５Ｃに供給される。さらに、信号選択部２５における選択接点２５Ａと選択接点２５Ｃとの間に設けられた選択接点２５Ｂには、画像ミュート信号発生部２４からのディジタル画像ミュート信号ＤＭが供給される。
【００３１】
信号選択部２５は、タイミング信号形成部２０からの、映像信号ＳＶ１から分離された水平同期信号ＰＨ１及び垂直同期信号ＰＶ１に同期した選択制御信号ＳＳが供給されて、その信号選択動作が選択制御信号ＳＳにより制御される。それにより、信号選択部２５にあっては、可動接点２５Ｄが、映像信号ＳＶ１の各ライン期間に相当する時間内において、選択接点２５Ａとの接続，選択接点２５Ｂとの接続、及び、選択接点２５Ｃとの接続が順次なされる状態が、繰り返される。その際、可動接点２５Ｄが選択接点２５Ａに接続される状態及び可動接点２５Ｄが選択接点２５Ｃに接続される状態が、夫々、映像信号ＳＶ１における１／２ライン期間より若干短い時間継続され、可動接点２５Ｄが選択接点２５Ｂに接続される状態は、極めて短時間とられるに過ぎないようにされる。
【００３２】
それにより、信号選択部２５においては、映像信号ＳＶ１における各奇数フィールド期間に対応して、選択接点２５Ａに供給される１／２ライン期間ディジタル映像信号ＤＸ１が、映像信号ＳＶ１における１／２ライン期間より若干短い時間をもって可動接点２５Ｄに取り出され、次に、選択接点２５Ｂに供給されるディジタル画像ミュート信号ＤＭが、極めて短時間をもって可動接点２５Ｄに取り出され、それに続いて、選択接点２５Ｃに供給される１／２ライン期間ディジタル映像信号ＤＸ２が、映像信号ＳＶ１における１／２ライン期間より若干短い時間をもって可動接点２５Ｄに取り出される状態が、映像信号ＳＶ１における各ライン期間に対応する時間毎にとられる。従って、信号選択部２５の可動接点２５Ｄから、１／２ライン期間ディジタル映像信号ＤＸ１，ディジタル画像ミュート信号ＤＭ、及び、１／２ライン期間ディジタル映像信号ＤＸ２が、１ライン期間分のディジタル映像信号を形成するものとして順次送出される状態が繰り返され、順次送出される１ライン期間分のディジタル映像信号によって１フィールド期間分のディジタル映像信号が得られる。
【００３３】
同様に、映像信号ＳＶ１における各偶数フィールド期間に対応して、選択接点２５Ａに供給される１／２ライン期間ディジタル映像信号ＤＸ１が、映像信号ＳＶ１における１／２ライン期間より若干短い時間をもって可動接点２５Ｄに取り出され、次に、選択接点２５Ｂに供給されるディジタル画像ミュート信号ＤＭが、極めて短時間をもって可動接点２５Ｄに取り出され、それに続いて、選択接点２５Ｃに供給される１／２ライン期間ディジタル映像信号ＤＸ３が、映像信号ＳＶ１における１／２ライン期間より若干短い時間をもって可動接点２５Ｄに取り出される状態が、映像信号ＳＶ１における各ライン期間に対応する時間毎にとられる。従って、信号選択部２５の可動接点２５Ｄから、１／２ライン期間ディジタル映像信号ＤＸ１，ディジタル画像ミュート信号ＤＭ、及び、１／２ライン期間ディジタル映像信号ＤＸ３が、１ライン期間分のディジタル映像信号を形成するものとして、順次送出される１ライン期間分のディジタル映像信号によって１フィールド期間分のディジタル映像信号が得られる。
【００３４】
可動接点２５Ｄから得られる１／２ライン期間ディジタル映像信号ＤＸ１，ディジタル画像ミュート信号ＤＭ及び１／２ライン期間ディジタル映像信号ＤＸ２により各ライン期間分が形成されて成る１フィールド期間分のディジタル映像信号、及び、１／２ライン期間ディジタル映像信号ＤＸ１，ディジタル画像ミュート信号ＤＭ及び１／２ライン期間ディジタル映像信号ＤＸ３により各ライン期間分が形成されて成る１フィールド期間分のディジタル映像信号の夫々は、ディジタル／アナログ変換部（Ｄ／Ａ変換部）２６に交互に供給されて、アナログ化が施され、二画面画像表示用映像信号ＳＺとされる。
【００３５】
このようにして、Ｄ／Ａ変換部２６から得られる二画面画像表示用映像信号ＳＺは、低域通過フィルタ（ＬＰＦ）２７を通じてノイズ成分が除去された後、二画面画像表示部２８に供給される。二画面画像表示部２８は、ライン走査とフィールド走査とが行われる画像表示面を有したものとされ、その画像表示面に、映像信号ＳＶ１があらわす画像の画面と映像信号ＳＶ２があらわす画像の画面とが、垂直方向に伸びる境界線を成す、ディジタル画像ミュート信号ＤＭに基づく画像ミュート部を挾んで、左右方向に相互隣接配置されるものとして形成される。即ち、二画面画像表示部２８において、二画面画像表示用映像信号ＳＺに基づく二画面画像表示が行われるのであり、ディジタル画像ミュート信号ＤＭに基づく縦線状画像ミュート部により区画された二画面のうちの一方に映像信号ＳＶ１があらわす画像が表示されるとともに、二画面のうちの他方に映像信号ＳＶ２があらわす画像が表示される状態がとられる。
【００３６】
斯かるもとで、タイミング信号形成部２１から、それに内蔵された、書込み用タイミング信号ＷＦ１及ＷＦ２の形成に用いられるフィールドメモリ・ライン内アドレス・カウンタから得られる、フィールドメモリ部１６及び１７における書込みライン内アドレス位置をあらわす書込み位置信号ＡＷが送出されるとともに、タイミング信号形成部２０から、それに内蔵された、読取り用タイミング信号ＲＦ１及ＲＦ２の形成に用いられるフィールドメモリ・ライン内アドレス・カウンタから得られる、フィールドメモリ部１６及び１７における読取りライン内アドレス位置をあらわす読取り位置信号ＡＲが送出される。これら、書込み位置信号ＡＷ及び読取り位置信号ＡＲは、追越状態検出部３０に供給される。
【００３７】
追越状態検出部３０にあっては、書込み位置信号ＡＷがあらわすフィールドメモリ部１６及び１７における書込みライン内アドレス位置と、読取り位置信号ＡＲがあらわすフィールドメモリ部１６及び１７における読取りライン内アドレス位置とが比較されることにより、フィールドメモリ部１６及び１７の夫々において、ディジタル映像信号ＤＶ２の各ライン期間分の読出しが行われるにあたり、前述の図５において破線により示される如くに、ディジタル映像信号ＤＶ２の各ライン期間分が順次書き込まれるとともに、図５において実線により示される如くにして、書き込まれた各ライン期間分が読み出される状態とされて、読出しライン内アドレス位置が書込みライン内アドレス位置を追い越してしまうことになる追越読出し状態の検出がなされる。そして、追越状態検出部３０による追越読出し状態の検出がなされると、追越読出し検出出力信号ＣＷが、追越状態検出部３０からタイミング信号形成部２１に供給され、タイミング信号形成部２１において、書込み用タイミング信号ＷＦ１及ＷＦ２の送出に関するタイミング調整が、追越読出し検出出力信号ＣＷに応じて行われる。
【００３８】
このようなもとで、タイミング信号形成部２１からの書込み用タイミング信号ＷＦ１及びＷＦ２の各々は、同期信号分離部１９において映像信号ＳＶ２から分離された垂直同期信号ＰＶ２に同期して形成され、書込み用タイミング信号ＷＦ１が、映像信号ＳＶ２における奇数フィールド期間毎に高レベルをとるとともに、映像信号ＳＶ２における偶数フィールド期間毎に低レベルをとって、高レベルをとるとき、フィールドメモリ部１６及び１７に書込み状態をとらせ、一方、書込み用タイミング信号ＷＦ２が、映像信号ＳＶ２における偶数フィールド期間毎に高レベルをとるとともに、映像信号ＳＶ２における奇数フィールド期間毎に低レベルをとって、高レベルをとるとき、フィールドメモリ部１６及び１７に書込み状態をとらせる。また、タイミング信号形成部２０からの読出し用タイミング信号ＲＦ１及ＲＦ２の各々は、同期信号分離部１８において映像信号ＳＶ１から分離された垂直同期信号ＰＶ１に同期して、映像信号ＳＶ１におけるフィールド期間毎に高レベルと低レベルとを交互にとるものとして形成され、高レベルをとるとき、フィールドメモリ部１６及び１７に読出し状態をとらせるものとされる。
【００３９】
そして、フィールドメモリ部１６及び１７の夫々において追越読出し状態が生じていない状態のもとでは、タイミング信号形成部２１からの書込み用タイミング信号ＷＦ１及ＷＦ２、及び、タイミング信号形成部２０からの読出し用タイミング信号ＲＦ１及ＲＦ２は、夫々、図２における時点ｔｘ以前のものとして示される如くの状態にある。
【００４０】
図２における時点ｔｘ以前においては、図２のＡに示される如く、書込み用タイミング信号ＷＦ１が、映像信号ＳＶ２における各奇数フィールド期間に対応して高レベルをとるとともに映像信号ＳＶ２における各偶数フィールド期間に対応して低レベルをとるものとされ、また、図２のＢに示される如く、書込み用タイミング信号ＷＦ２が、映像信号ＳＶ２における各奇数フィールド期間に対応して低レベルをとるとともに映像信号ＳＶ２における各偶数フィールド期間に対応して高レベルをとるものとされる。また、このとき、図２のＣ及びＤに示される如く、読出し用タイミング信号ＲＦ１及ＲＦ２の各々が、映像信号ＳＶ１におけるフィールド期間毎に高レベルと低レベルとを交互にとるとともに、読出し用タイミング信号ＲＦ１が高レベルをとるとき、読出し用タイミング信号ＲＦ２が低レベルをとり、読出し用タイミング信号ＲＦ１が低レベルをとるとき、読出し用タイミング信号ＲＦ２が高レベルをとるものとされる。
【００４１】
従って、図２における時点ｔｘ以前にあっては、フィールドメモリ部１６において、ディジタル映像信号ＤＶ２の各奇数フィールド期間分を形成する各ライン期間分についての書込みが、書込み用タイミング信号ＷＦ１の高レベル部分に応じて順次行われるとともに、順次書き込まれていく各ライン期間分についての読出しが、読出し用タイミング信号ＲＦ１の高レベル部分に応じて順次行われる。同様に、フィールドメモリ部１７において、ディジタル映像信号ＤＶ２の各偶数フィールド期間分を形成する各ライン期間分についての書込みが、書込み用タイミング信号ＷＦ２の高レベル部分に応じて順次行われるとともに、順次書き込まれていく各ライン期間分についての読出しが、読出し用タイミング信号ＲＦ２の高レベル部分に応じて順次行われる。
【００４２】
斯かるもとで、図２における時点ｔｘから時点ｔｙまでの期間において、その全期間を通じて、追越状態検出部３０により追越読出し状態が検出され、追越読出し検出出力信号ＣＷが、追越状態検出部３０からタイミング信号形成部２１に供給されるとする。このとき、追越状態検出部３０からの追越読出し検出出力信号ＣＷが供給されるタイミング信号形成部２１においては、追越読出し検出出力信号ＣＷの供給開始に応じて、書込み用タイミング信号ＷＦ１及び書込み用タイミング信号ＷＦ２の夫々における、高レベルをとる期間と低レベルをとる期間とが反転せしめられ、その後、時点ｔｙまでの期間中、反転せしめられた状態が維持される。
【００４３】
即ち、図２における時点ｔｘから時点ｔｙまでの期間においては、図２のＡに示される如く、書込み用タイミング信号ＷＦ１が、映像信号ＳＶ２における各偶数フィールド期間に対応して高レベルをとるとともに映像信号ＳＶ２における各奇数フィールド期間に対応して低レベルをとるものとされ、また、図２のＢに示される如く、書込み用タイミング信号ＷＦ２が、映像信号ＳＶ２における各偶数フィールド期間に対応して低レベルをとるとともに映像信号ＳＶ２における各奇数フィールド期間に対応して高レベルをとるものとされる。一方、図２のＣ及びＤに示される如く、読出し用タイミング信号ＲＦ１及ＲＦ２の夫々は、図２における時点ｔｘ以前と同じ状態におかれ、各々が映像信号ＳＶ１におけるフィールド期間毎に高レベルと低レベルとを交互にとるとともに、読出し用タイミング信号ＲＦ１が高レベルをとるとき、読出し用タイミング信号ＲＦ２が低レベルをとり、読出し用タイミング信号ＲＦ１が低レベルをとるとき、読出し用タイミング信号ＲＦ２が高レベルをとるものとされる。
【００４４】
従って、フィールドメモリ部１６及び１７の夫々において追越読出し状態が生じており、その追越読出し状態が追越状態検出部３０によって検出される、図２における時点ｔｘから時点ｔｙまでの期間においては、フィールドメモリ部１６において、ディジタル映像信号ＤＶ２の各偶数フィールド期間分を形成する各ライン期間分についての書込みが、書込み用タイミング信号ＷＦ１の高レベル部分に応じて順次行われるとともに、各偶数フィールド期間分の書込みが終了した次のフィールド期間において、書き込まれた偶数フィールド期間分を形成する各ライン期間分についての読出しが、読出し用タイミング信号ＲＦ１の高レベル部分に応じて順次行われる。その際、ディジタル映像信号ＤＶ２がインターレース方式に従ったものであることが考慮されて、フィールドメモリ部１６における、ディジタル映像信号ＤＶ２の各偶数フィールド期間分を形成する各ライン期間分についての書込みは、フィールドメモリ部１６における最初から２番目のラインアドレス位置から開始される。同様に、フィールドメモリ部１７において、ディジタル映像信号ＤＶ２の各奇数フィールド期間分を形成する各ライン期間分についての書込みが、書込み用タイミング信号ＷＦ２の高レベル部分に応じて順次行われるとともに、各奇数フィールド期間分の書込みが終了した次のフィールド期間において、書き込まれた奇数フィールド期間分を形成する各ライン期間分についての読出しが、読出し用タイミング信号ＲＦ２の高レベル部分に応じて順次行われる。
【００４５】
従って、フィールドメモリ部１６及び１７の両者において、ディジタル映像信号ＤＶ２の各偶数もしくは各奇数フィールド期間分を形成する各ライン期間分についての書込みが、図３（横軸：時間，縦軸：フィールドメモリ・ラインアドレス）において破線により示される如くに順次行われるとともに、書き込まれた各偶数もしくは各奇数フィールド期間分についての、それを形成する各ライン期間分毎の読出しが、図３において実線により示される如くに、書込みが終了した次のフィールド期間において順次行われることになり、それによって、フィールドメモリ部１６から１／２ライン期間ディジタル映像信号ＤＸ２が得られるともに、フィールドメモリ部１７から１／２ライン期間ディジタル映像信号ＤＸ３が得られる。
【００４６】
このようにしてフィールドメモリ部１６から得られる１／２ライン期間ディジタル映像信号ＤＸ２、及び、フィールドメモリ部１７から得られる１／２ライン期間ディジタル映像信号ＤＸ３の夫々は、実質的に、フィールドメモリ部１６及び１７の夫々において追越読出し状態が生じない状態のもとで得られ、追越読出し状態に起因する不連続点を含まないことになる。従って、斯かる１／２ライン期間ディジタル映像信号ＤＸ２及び１／２ライン期間ディジタル映像信号ＤＸ３の夫々が信号選択部２５の選択接点２５Ｃに供給され、それにより、信号選択部２５の可動接点２５Ｄから得られる１／２ライン期間ディジタル映像信号ＤＸ１，ディジタル画像ミュート信号ＤＭ及び１／２ライン期間ディジタル映像信号ＤＸ２により各ライン期間分が形成されて成るフィールド期間分のディジタル映像信号、及び、１／２ライン期間ディジタル映像信号ＤＸ１，ディジタル画像ミュート信号ＤＭ及び１／２ライン期間ディジタル映像信号ＤＸ３により各ライン期間分が形成されて成るフィールド期間分のディジタル映像信号の夫々が、Ｄ／Ａ変換部２６に交互に供給されて、二画面画像表示用映像信号ＳＺが形成されるもとにあっては、その二画面画像表示用映像信号ＳＺが二画面画像表示部２８に供給されて、その画像表示面に得られる二画面画像表示が、フィールドメモリ部１６及び１７の夫々における追越読出し状態に起因する表示欠陥が効果的に抑制されたものとされることになる。
【００４７】
その後、図２における時点ｔｙ後となって、フィールドメモリ部１６及び１７の夫々において追越読出し状態が生じなくなり、追越状態検出部３０から追越読出し検出出力信号ＣＷがタイミング信号形成部２１に供給されなくなると、タイミング信号形成部２１において、書込み用タイミング信号ＷＦ１及び書込み用タイミング信号ＷＦ２の夫々における高レベルをとる期間と低レベルをとる期間とが、再度反転せしめられて、時点ｔｘ以前と同じ状態に戻される。
【００４８】
即ち、図２における時点ｔｙ以降においては、図２のＡに示される如く、書込み用タイミング信号ＷＦ１が、映像信号ＳＶ２における各奇数フィールド期間に対応して高レベルをとるとともに映像信号ＳＶ２における各偶数フィールド期間に対応して低レベルをとるものとされ、また、図２のＢに示される如く、書込み用タイミング信号ＷＦ２が、映像信号ＳＶ２における各奇数フィールド期間に対応して低レベルをとるとともに映像信号ＳＶ２における各偶数フィールド期間に対応して高レベルをとるものとされる。一方、図２のＣ及びＤに示される如く、読出し用タイミング信号ＲＦ１及ＲＦ２の夫々は、依然として、図２における時点ｔｘ以前と同じ状態におかれ、各々が映像信号ＳＶ１におけるフィールド期間毎に高レベルと低レベルとを交互にとるとともに、読出し用タイミング信号ＲＦ１が高レベルをとるとき、読出し用タイミング信号ＲＦ２が低レベルをとり、読出し用タイミング信号ＲＦ１が低レベルをとるとき、読出し用タイミング信号ＲＦ２が高レベルをとるものとされる。
【００４９】
このようなもとで、タイミング信号形成部２１は、追越状態検出部３０によりフィールドメモリ部１６及び１７の夫々における追越読出し状態が検出されたとき、フィールドメモリ部１６及び１７の夫々におけるディジタル映像信号ＤＶ２の一つ置きのフィールド期間分の各々についての書込み−読出しタイミングの調整を行って、追越読出し状態に伴う二画面画像表示部２８により表示される二画面画像における表示欠陥を抑制する書込み−読出しタイミング制御手段を形成していることになる。
【００５０】
上述の例にあっては、フィールドメモリ部１６及び１７の夫々において追越読出し状態が生じ、その追越読出し状態が追越状態検出部３０によって検出されると、書込み用タイミング信号ＷＦ１及び書込み用タイミング信号ＷＦ２の夫々における、高レベルをとる期間と低レベルをとる期間とが反転せしめられて、フィールドメモリ部１６においてディジタル映像信号ＤＶ２の各奇数フィールド期間分を形成する各ライン期間分についての書込み及び読出しが行われるとともに、フィールドメモリ部１７においてディジタル映像信号ＤＶ２の各偶数フィールド期間分を形成する各ライン期間分についての書込み及び読出しが行われる状態から、フィールドメモリ部１６においてディジタル映像信号ＤＶ２の各偶数フィールド期間分を形成する各ライン期間分についての書込み及びその書込みの次のフィールド期間における読出しが行われるとともに、フィールドメモリ部１７においてディジタル映像信号ＤＶ２の各奇数フィールド期間分を形成する各ライン期間分についての書込み及びその書込みの次のフィールド期間における読出しが行われる状態へと移行せしめられている。
【００５１】
しかしながら、本発明に係る画像表示装置は、斯かる例に限られるものではなく、例えば、フィールドメモリ部１６及び１７の夫々において追越読出し状態が生じ、その追越読出し状態が追越状態検出部３０によって検出されるとき、図１において一点鎖線により示される如くに、追越状態検出部３０からの追越読出し検出出力信号ＣＷがタイミング信号形成部２０に供給され、それにより、タイミング信号形成部２０において、追越読出し検出出力信号ＣＷの供給開始に応じて、読出し用タイミング信号ＲＦ１及び読出し用タイミング信号ＲＦ２の夫々における、高レベルをとる期間と低レベルをとる期間とが反転せしめられ、その後、フィールドメモリ部１６及び１７の夫々において追越読出し状態が生じなくなるまで、読出し用タイミング信号ＲＦ１及び読出し用タイミング信号ＲＦ２の夫々における高レベルをとる期間と低レベルをとる期間とが反転した状態が維持されるようになされてもよい。
【００５２】
斯かる際には、フィールドメモリ部１６及び１７の夫々において追越読出し状態が生じるとき、フィールドメモリ部１６において、映像信号ＳＶ２における各奇数フィールド期間分を形成する各ライン期間分が順次書き込まれるとともに、その書込みが終了した次のフレーム期間において、直前のフレーム期間において書き込まれた各ライン期間分が順次読み出され、また、フィールドメモリ部１７において、映像信号ＳＶ２における各偶数フィールド期間分を形成する各ライン期間分が順次書き込まれるとともに、その書込みが終了した次のフレーム期間において、直前のフレーム期間において書き込まれた各ライン期間分が順次読み出される状態がとられる。
【００５３】
また、上述の例にあっては、映像信号入力端子１１及び１２に夫々供給される二つの映像信号ＳＶ１及びＳＶ２が、いずれもがインターレース方式に従ったものとされているが、映像信号入力端子１１及び１２に夫々供給される二つの映像信号ＳＶ１及びＳＶ２が、それらのうちの一方、あるいは、両者が、ノンインターレース方式に従ったものとされる場合にも、上述の例の場合と同様にして、フィールドメモリ部１６及び１７の夫々において生じる追越読出し状態に対処することができる。
【００５４】
【発明の効果】
以上の説明から明らかな如くに、本発明に係る画像表示装置によれば、第１及び第２のフィールドメモリ部の夫々において、各ライン期間分の映像信号が書き込まれ、それが直ちに読み出されて第２及び第３の１／２ライン期間分の映像信号が得られるにあたり、読出しアドレスが書込みアドレスを追い越してしまう追越読出し状態が生じると、書込み−読出しタイミング制御手段によって、第１及び第２のフィールドメモリ部の夫々における映像信号のフィールド期間分の各々についての書込み−読出しタイミングの調整が行われ、その書込み−読出しタイミングの調整は、例えば、それまでは、映像信号の奇数フィールド期間分の各々が第１のフィールドメモリ部に順次書き込まれるとともに、映像信号の偶数フィールド期間分の各々が第２のフィールドメモリ部に順次書き込まれる状態を生じさせていた書込み−読出しタイミングを、映像信号の奇数フィールド期間分の各々が第２のフィールドメモリ部に順次書き込まれるとともに、映像信号の偶数フィールド期間分の各々が第１のフィールドメモリ部に順次書き込まれる状態に移行させる書込み−読出しタイミングに変化させることによって行われる。
【００５５】
それにより、書込み−読出しタイミング制御手段による書込み−読出しタイミングの調整が行われた後においては、第１及び第２のフィールドメモリ部の夫々において、１フィールド期間だけ前に書き込まれた各ライン分の映像信号が読み出され１／２ライン期間分の映像信号が得られる状態に維持される。従って、第１のフィールドメモリ部及び第２のフィールドメモリ部の夫々から得られる１／２ライン期間分の映像信号が、追越読出し状態に伴う不連続点を含まないものとされ、その結果、信号選択部から二画面画像表示部に供給される映像信号、即ち、二画面画像表示用映像信号が、第１及び第２のフィールドメモリ部における追越読出し状態に起因する不連続点を含まないことになり、それが二画面画像表示部に供給されて得られる二画面画像が、第１及び第２のフィールドメモリ部の夫々において追越読出し状態が生じた場合にも、その追越読出し状態に起因して現れる表示欠陥が効果的に抑制されるものとなる。
【図面の簡単な説明】
【図１】本発明に係る画像表示装置の一例を示すブロック構成図である。
【図２】図１に示される例における動作説明に供される信号波形図である。
【図３】図１に示される例における動作説明に供されるタイムチャートである。
【図４】ラインメモリを用いた映像信号の時間軸圧縮の説明に供されるタイムチャートである。
【図５】フィールドメモリを用いた映像信号の時間軸圧縮の説明に供されるタイムチャートである。
【図６】二画面画像表示の説明に供される概念図である。
【符号の説明】
１１，１２    映像信号入力端子
１３，１５    Ａ／Ｄ変換部
１４    ラインメモリ部
１６，１７    フィールドメモリ部
１８，１９    同期信号分離部
２０，２１    タイミング信号形成部
２４    画像ミュート信号発生部
２５    信号選択部
２６    Ｄ／Ａ変換部
２７    ＬＰＦ
２８    二画面画像表示部
３０    追越状態検出部
【図１】
0003572725.tif 000002
【図２】
0003572725.tif 000003
【図３】
0003572725.tif 000004
【図４】
0003572725.tif 000005
【図５】
0003572725.tif 000006
【図６】
0003572725.tif 000007